(57)【特許請求の範囲】
【請求項１】
多数の光ファイバが収納されるケーブル部とそのケーブル部を支持する支持線部とを有する自己支持型光ファイバケーブルにおいて、光ファイバテープ心線を複数枚積層して積層光ファイバテープ心線を形成し、その積層光ファイバテープ心線を中心にして一対の他の光ファイバテープ心線を一方向又は交互反対方向に撚合せて光ファイバテープ心線の束を形成し、その光ファイバテープ心線の束をプラスチックテープにて包み込み、そのプラスチックテープを、抗張力体を内蔵する外被で被覆してケーブル部を形成すると共に、そのケーブル部が支持線部に対して所定のたるみを持つように支持線部と一体化されたことを特徴とする自己支持型光ファイバケーブル。
【請求項２】
上記ケーブル部は、抗張力体が２本縦添えされ、他方支持線部は抗張力体が設けられ、上記ケーブル部が支持線部に対して０．２％以上のたるみを持つ請求項１記載の自己支持型光ファイバケーブル。
【発明の詳細な説明】
【０００１】
【発明の属する技術分野】
本発明は、光ファイバケーブルに係り、特に架空配線に使用される自己支持型光ファイバケーブルに関するものである。
【０００２】
【従来の技術】
一般に、光ファイバが収容されるケーブル部とそのケーブル部を支持する支持線部とを一体化した自己支持型光ファイバケーブルが広く知られている。
【０００３】
従来より自己支持型光ファイバケーブルは、光ファイバの高密度化、外部から光ファイバへの衝撃を緩和させる目的からスロットロッドと呼ばれるスペーサが用いられ、一方向又は交互反対方向に撚られて形成されたスロットロッドの溝に、光ファイバ心線又は光ファイバテープ心線を収容した構成とする方法が採られていた。
【０００４】
図３に従来より用いられている４０心の光ファイバ心線を収容した自己支持型光ファイバケーブルの断面図を示す。
【０００５】
図３に示すように、この自己支持型光ファイバケーブルは、４心光ファイバテープ心線１３が１０枚収容されたものである。
【０００６】
４心光ファイバテープ心線１３は、標準外径２５０μｍの光ファイバ着色素線が４本並列に並べられ、その上に紫外線硬化型樹脂が厚さ約０．３２ｍｍ、幅約１．１ｍｍで成形されている。
【０００７】
この４心光ファイバテープ心線１３を、鋼線でなる抗張力体１６の周囲に交互反対方向に溝を成形しながら高密度ポリエチレンを押し出して形成されたＳＺ撚りスロットロッド１２の溝に、１溝あたり１枚から５枚収容し、その上にプラスチックテープ等の押え巻き１４を施してケーブル心（ケーブル部１９）としている。
【０００８】
更に、支持線１１上と押え巻き１４上に、ケーブル部１９が支持線部２０に対し０．２％以上のたるみを持つようにかつそれらの間に幅の狭い首部１７を形成するように、一括して低密度黒色ポリエチレン外被１５を被覆し、また、首部１７には一定間隔でスリットを入れた構造である。
【０００９】
【発明が解決しようとする課題】
しかしながら、従来の自己支持型光ファイバケーブルは、スロットロッド１２を用いるため、以下に示すような問題があった。
【００１０】
（１）撚合せ工程でスロットロッド１２の溝に光ファイバテープ心線１３を集合し、更に外被工程でその上に黒色ポリエチレン１５を被覆するために、製造工程数が多くなり、ケーブル製造費の増加の要因となっていた。
【００１１】
（２）スロットロッド１２は質量が大きいために、輸送費、ケーブル布設工事費が高くなる要因となっていた。
【００１２】
（３）スロットロッド１２は高価であるため、その材料費により、ケーブル製造費の増加の要因となっていた。
【００１３】
（４）スロットロッド１２はスペーサであるため、ケーブル部１９の外径が太くなる要因となっていた。
【００１４】
そこで、本発明の目的は、従来技術の欠点を解消し、製造性、軽量性、細径性に優れた自己支持型光ファイバケーブルを提供することにある。
【００１５】
【課題を解決するための手段】
上記課題を解決するために請求項１の発明は、多数の光ファイバが収納されるケーブル部とそのケーブル部を支持する支持線部とを有する自己支持型光ファイバケーブルにおいて、光ファイバテープ心線を複数枚積層して積層光ファイバテープ心線を形成し、その積層光ファイバテープ心線を中心にして一対の他の光ファイバテープ心線を一方向又は交互反対方向に撚合せて光ファイバテープ心線の束を形成し、その光ファイバテープ心線の束をプラスチックテープにて包み込み、そのプラスチックテープを、抗張力体を内蔵する外被で被覆してケーブル部を形成すると共に、そのケーブル部が支持線部に対して所定のたるみを持つように支持線部と一体化されたものである。
【００１６】
請求項２の発明は、上記ケーブル部は、抗張力体が２本縦添えされ、他方支持線部は抗張力体が設けられ、上記ケーブル部が支持線部に対して０．２％以上のたるみを持つものである。
【００１７】
すなわち、本発明の要旨は、スペーサを用いずに自己支持型光ファバケーブルを形成する点にある。
【００１８】
上記請求項１の構成によれば、光ファイバテープ心線が高密度に積層されており、プラスチックテープとポリエチレン外被とにより、十分に外部からの衝撃を緩和できる。更に、架空に配線した際に、ケーブル部への重力方向の圧力に対しては、光ファイバテープ心線の束を上下から挟む抗張力体により支持され、光ファイバに部分的な圧力が加わらない。
【００１９】
上記請求項２の構成によれば、ケーブル部は、支持線部に対して０．２％以上のたるみ率を有しているので、支持線部に０．２％の伸び歪みが生じても光ファイバテープ心線には伸び歪みが加わらない。
【００２０】
【発明の実施の形態】
次に、本発明の好適一実施の形態を添付図面に基づいて詳述する。
【００２１】
図１に、本発明にかかる自己支持型光ファイバケーブルとして、光ファイバ心線を４０心実装した自己支持型光ファイバケーブルの断面図を示す。
【００２２】
図１に示すように、この自己支持型光ファイバケーブルは、４０心の光ファイバ心線が収容されるケーブル部９と、そのケーブル部９を首部７により接続して支持する支持線部１０とから主に構成されており、そのケーブル部９内には、１０枚の４心光ファイバテープ心線３が、中央側に６枚、外側に２枚ずつ一組として３つに分けて配列されている。尚、４心光ファイバテープ心線３は、従来技術の欄で説明したように、標準外径２５０μｍの光ファイバ着色素線が４本並列に並べられ、その上に紫外線硬化型樹脂が厚さ約０．３２ｍｍ、幅約１．１ｍｍで成形されたものである。
【００２３】
中央側に配列される６枚の４心光ファイバテープ心線３は積層されて積層光ファイバテープ４ａを形成し、また、２枚１組として外側に配列される一対の他の４心光ファバテープ心線４ｂ，４ｃ同士が、６層の４心の積層光ファイバテープ心線４ａを中心として、その周りで、一方向（Ｓ撚り方向又はＺ撚り方向）に一定のピッチで撚り合せられて、３組の光ファイバテープ心線４ａ，４ｂ，４ｃが光ファイバテープ心線の束４を形成し、これらの光ファイバテープ心線の束４の断面形状が略十字状に形成されている。
【００２４】
さらに、この光ファイバテープ心線３の束４は、その上からプラスチックテープ８で包み込まれ、かつその上下両側に鋼線でなる２本の抗張力体６が縦添えされている。
【００２５】
他方、支持線部１０は、ケーブル部９の大きさ等に応じて最適なサイズに形成され、１本の支持線１の周りに６本の支持線１が撚り合わされて１本に形成された抗張力体がケーブル部９に対して縦添えされている。
【００２６】
そして、これらケーブル部９と支持線部１０は、ケーブル部９が支持線部１０に対してたるみ率が０．２％以上、例えば約０．３％となるように、かつそれらの間に幅の狭い首部７が形成されるように、一括して熱可塑性樹脂である低密度黒色ポリエチレン外被５が被覆されている。
【００２７】
更に、首部７には、一定間隔でスリットが形成されている。
【００２８】
次に、本発明の製造方法を作用と共に説明する。
【００２９】
この自己支持型光ファイバケーブルを製造するに際しては、１０枚の４心光ファイバテープ心線３を、２枚（図１中４ｂ）、６枚（図１中４ａ）、２枚（図１中４ｃ）の３組に分け配列し、光ファイバテープ心線３を６枚積層して形成される積層光ファイバテープ心線４ａを中心として、その周囲に一対の他の光ファイバテープ心線４ｂ，４ｃ同士を一方向に一定のピッチで撚り合わせて光ファイバテープ心線の束４を形成し、これにプラスチックテープ８を縦添えし、その上に抗張力体６と支持線１を縦添えし、更にケーブル部９にたるみを持たせながらかつケーブル部９と支持線部１０との間に首部７を形成しながら黒色ポリエチレンを一括に被覆する。
【００３０】
このような構造で製造された自己支持型光ファイバケーブルは、光ファイバテープ心線３が高密度に積層されており、プラスチックテープ８とポリエチレン外被５とにより、十分に外部からの衝撃を緩和できる。
【００３１】
また、この自己支持型光ファイバケーブルを架空配線に使用する際には、ケーブル部９の自重により重力方向に加わる圧力に対しては、光ファイバテープ心線３の束４は、それを上下から挟む抗張力体６により支持され、部分的な圧力が加わらない。さらに、ケーブル部９は、支持線部１０に対して約０．３％のたるみ率を有しているので、支持線部１０に０．２％の伸び歪みが生じても光ファイバテープ心線３には、伸び歪みが加わらない。
【００３２】
このように、本発明は、従来のようにスロットロッドを使用しないので、材料費を低下できると共に製造工程数が１工程少なくなり、光ファイバケーブルの製造コストを低下できる。
【００３３】
更に、本発明は、重量及び外形が大きなスロットロッドを使用しないため、従来よりも軽量化できると共にケーブル外径を２割程度細くできるので、施工性が向上する。
【００３４】
また、本発明は、従来はケーブルから光ファイバ心線を取り出しにくかったため困難であった心線対照を容易に行える。
【００３５】
本ケーブルを用い任意の位置で中間後分岐を行った状況を図２に示す。
【００３６】
図２に示すように、本ケーブルでは、任意の位置で外側から外被５とプラスチックテープ８を除去することにより、容易に光ファイバテープ心線３の束を取り出すことができる。
【００３７】
このため、心線対照を行う際には、心線対照器が使用され、この取り出した光ファイバテープ心線３の束４から心線対照が行える。
【００３８】
また、本実施の形態の変形例として、６枚積層した積層光ファイバテープ心線４ａの周りに撚り合わせた一対の光ファイバテープ心線４ｂ，４ｃ同士を、交互反対方向（ＳＺ撚り方向）に一定のピッチで撚り合わせても良い。
【００３９】
このような構造であっても、本実施の形態で説明した自己支持型光ファイバケーブルと同様の効果が得られる。
【００４０】
【発明の効果】
以上要するに本発明によれば、以下に示すような優れた効果を発揮する。
【００４１】
（１）従来の自己支持型光ファイバケーブルに比べ、スロットロッドを使用しないため、低コストな光ファイバケーブルを提供できる。
【００４２】
（２）従来の自己支持型光ファイバケーブルに比べ、製造工程数が１工程少ないため、低コストな光ファイバケーブルを提供できる。
【００４３】
（３）従来の自己支持型光ファイバケーブルに比べ、スロットロッドを使用しないため、従来よりも軽量な光ファイバケーブルを提供できる。
【００４４】
（４）従来の自己支持型光ファイバケーブルに比べ、ケーブル外径が２割程度細くなるので、施工性に優れている。
【図面の簡単な説明】
【図１】本発明の一実施の形態を示す自己支持型光ファイバケーブルの断面図である。
【図２】図１の光ファイバケーブルから中間部で光ファイバテープ心線を取り出した状況を示す図である。
【図３】従来の自己支持型光ファイバケーブルの断面図である。
【符号の説明】
３  ４心光ファイバテープ心線
４  押え巻き
５  外被
６  抗張力体
８  プラスチックテープ
９  ケーブル部
１０  支持線部
【図１】
0003681616.tif 000002
【図２】
0003681616.tif 000003
【図３】
0003681616.tif 000004